(57)【要約】【課題】本発明は出球率を不正に変更できなく、簡単にソケットコネクタ６０をプラグコネクタ４０から着脱することができない構造の電気コネクタを提供する。【解決手段】本目的は複数のピンコンタクト４４とピンコンタクト４４が保持・配列されるブロック４２とを有するプラグコネクタ４０と複数のソケットコンタクト６４とソケットコンタクト６４が保持・配列されるハウジング６２とを有するケーブル付きソケットコネクタ６０を備える電気コネクタ１０であって、プラグコネクタ４０とソケットコネクタ６０とが着脱される電気コネクタ１０において、プラグコネクタ４０とソケットコネクタ６０が嵌合された状態の電気コネクタ１０を挟み込むように保持できる保持部材Ａ２０と保持部材Ｂ３０を備え、保持部材Ａ２０と保持部材Ｂ３０により電気コネクタ１０を保持することでプラグコネクタ４０とソケットコネクタ６０の着脱を防止することにより達成できる。【選択図】  図２
2008140754.tif 000002
【特許請求の範囲】
【請求項１】
複数のピンコンタクトと該ピンコンタクトが保持・配列されるブロックとを有する直型タイプのプラグコネクタと複数のソケットコンタクトと該ソケットコンタクトが保持・配列されるハウジングとを有するケーブル付きソケットコネクタを備える電気コネクタであって、前記プラグコネクタと前記ソケットコネクタとが着脱される電気コネクタにおいて、
前記プラグコネクタと前記ソケットコネクタが嵌合された状態の電気コネクタを挟み込むように保持できる保持部材Ａと保持部材Ｂを備え、前記保持部材Ａと前記保持部材Ｂにより前記電気コネクタを保持することで前記プラグコネクタと前記ソケットコネクタの着脱を防止することを特徴とする電気コネクタ。
【請求項２】
前記保持部材Ａと前記保持部材Ｂは互いが係合した状態で前記電気コネクタを保持できる挿入部と前記ケーブルの逃げ部と互いに係合するために係合手段を有することを特徴とする請求項１記載の電気コネクタ。
【請求項３】
前記保持部材Ａと前記保持部材Ｂは一度係合すると前記保持部材Ａと前記保持部材Ｂの両方を破壊しなければ、前記プラグコネクタと前記ソケットコネクタの着脱ができないことを特徴とする請求項１または２記載の電気コネクタ。
【請求項４】
前記保持部材Ａと前記保持部材Ｂにニッパ等の差込口を設けることを特徴とする請求項１、２または３記載の電気コネクタ。
【請求項５】
前記保持部材Ａを前記電気コネクタに装着した後に、前記保持部材Ｂを前記ソケットコネクタ挿入方向から挿入し、前記保持部材Ａと前記保持部材Ｂを係合することを特徴とする請求項１、２または３、４記載の電気コネクタ。
【請求項６】
前記保持部材Ａと前記保持部材Ｂを透明若しくは半透明にすることを特徴とする請求項１から５項のうちいずれか１項記載の電気コネクタ。
【請求項７】
複数のピンコンタクトと該ピンコンタクトが保持・配列されるブロックとを有するＬ型タイプ（アングルタイプ）のプラグコネクタと複数のソケットコンタクトと該ソケットコンタクトが保持・配列されるハウジングとを有するケーブル付きソケットコネクタを備える電気コネクタであって、前記プラグコネクタと前記ソケットコネクタとが着脱される電気コネクタにおいて、
前記プラグコネクタと前記ソケットコネクタが嵌合された状態の電気コネクタに前記ピンコンタクトの接続方向より装着される装着本体と該装着本体に装着される装着部材とを備え、前記装着本体と前記装着部材により前記電気コネクタを保持することで前記プラグコネクタと前記ソケットコネクタの着脱を防止することを特徴とする電気コネクタ。
【請求項８】
前記装着部材を２分割にするとともに２つの前記装着部材を前記装着本体の長手方向両側に装着し、前記装着本体と２つの前記装着部材により前記電気コネクタを保持することで前記プラグコネクタと前記ソケットコネクタの着脱を防止することを特徴とする請求項７記載の電気コネクタ。
【請求項９】
前記装着本体と前記装着部材には互いに係合する係合手段を有し、前記装着本体には前記プラグコネクタと前記ソケットコネクタとが嵌合した状態の前記電気コネクタが入る挿入部と前記ケーブルの逃げ部を有し、前記装着部材には前記装着本体の空間部を覆う装着凹部を有することを特徴とする請求項７または８記載の電気コネクタ。
【請求項１０】
前記装着本体の挿入部には前記プラグコネクタの底面の係合孔に対応する位置に前記係合孔に入る位置決めボスを設けるとともに前記プラグコネクタの長手方向両側の嵌合孔に対応する位置に上面より挿入部に貫通する嵌入孔を設け、前記装着部材の装着凹部内には前記嵌入孔に入る係合ボスを設け、前記プラグコネクタと前記ソケットコネクタとが嵌合した状態の前記電気コネクタに前記装着本体を装着した後に前記装着部材を前記装着本体と係合させることにより前記プラグコネクタと前記ソケットコネクタの着脱を防止することを特徴とする請求項７または８記載の電気コネクタ。
【請求項１１】
前記装着部材には前記プラグコネクタと前記ソケットコネクタとが嵌合した状態の前記電気コネクタの底面部分に係合するロック手段を設け、前記装着本体には前記ロック手段に対応する位置に逃げ切欠部を設けることを特徴とする請求項８または９、１０記載の電気コネクタ。
【請求項１２】
前記装着本体と前記装着部材は一度係合すると前記装着本体と前記装着部材の両方を破壊しなければ、前記プラグコネクタと前記ソケットコネクタの着脱ができないことを特徴とする請求項７、８または９、１０、１１記載の電気コネクタ。
【請求項１３】
前記装着本体と前記装着部材にニッパ等の差込口を設けることを特徴とする請求項７、８または９、１０、１１、１２記載の電気コネクタ。
【請求項１４】
前記装着本体と前記装着部材を透明若しくは半透明にすることを特徴とする請求項７から１３項のうちいずれか１項記載の電気コネクタ。
【発明の詳細な説明】
【技術分野】
【０００１】
本発明は、プラグコネクタとソケットコネクタとからなる遊戯機に用いられる電気コネクタに関するもので、特に一度前記プラグコネクタと前記ソケットコネクタが嵌合した場合に着脱を防止する構造に関するものである。
【背景技術】
【０００２】
近年、パチンコ機器（周辺の装置類も含む）の電子機器化は目ざましく、内部には種々の基板や電子部品が組み込まれ、これらの基板や電子部品間、周辺機器との間にあっては、テープ電線などからなるケーブルで接続されている。
このケーブル接続は、直接半田付けなどで基板側や電子部品側に取り付けることも可能であるが、作業性の問題や信頼性の点から、一般には電気コネクタを用いることが多い。
前記電気コネクタとしては、基板側に装着されるプラグコネクタとケーブル付きのソケットコネクタを用いられている。
下記に本出願人が提案した基板側に装着するプラグコネクタとしての特許文献１（実用新案登録第３０６３２１１号）とケーブル付きソケットコネクタとしての特許文献２（特開２００１−４３９１８）を例示する。
【特許文献１】実用新案登録第３０６３２１１号の要約によると、コネクタ外装部を透明又は半透明の樹脂として、コネクタ内部が透視できるようにしたパチンコ機器用電気コネクタを提供することを目的とし、パチンコ機器内に取り付けられる電気コネクタであって、コネクタ外装部１１０，２１０，２３０，２４０が透明又は半透明の樹脂からなり、コネクタ内部が透視できるようにしたパチンコ機器用電気コネクタにあり、これによって、不正な手段の容易な発見と不正な手段の大きな抑止力が得られる電気コネクタが開示されている。
【特許文献２】特開２００１−４３９１８の要約によると、ケーブルコネクタのソケットコンタクトの圧接部分に力が加わることなく、ケーブルコネクタの低背位化および機器内でのコネクタの取り外しを容易にすることを目的とし、ピンコネクタ３０は、ソケットコンタクトと嵌合するピンコンタクト３４と、このピンコンタクトが保持・固定されるブロック３２とからなる電気コネクタにおいて、ストレンリリーフ２０は本体部４４とサイド部４６とから構成され、本体部をケーブルの厚み分だけサイド部より低くすると共にストレンリリーフ２０装着後にストレンリリーフのサイド部の上面とカバー１６の上面部分をほぼ同一高さにし、ほぼ同一高さとは、カバー１６の上面部分より０〜０．５ｍｍ程度低くした状態であり、また、ケーブルコネクタのストレンリリーフとピンコネクタのブロックとの間に段部を設け、略Ｕ字形状に湾曲させた１枚の板状片からなる抜去用治具の係合部を前記段部に係合させ、前記コネクタを取り外せるようにするコネクタが開示されている。
【発明の開示】
【発明が解決しようとする課題】
【０００３】
パチンコ機器等の遊戯機では、基板上に搭載されたＩＣチップ等で、法規制によって出球率が予め設定され、過度のギヤンブル性は抑制（制御）されているわけであるが、パチンコ店やパチンコ機器の中間業者などの中には、ギヤンブル性を高めて集客するため、ケーブル付きソケットコネクタを別のコネクタにし、出球率を不正に変更してしまうことがあった。従来の電気コネクタの構造では、ソケットコネクタを簡単に着脱できるためにこのような不正を防止することができなかった。さらに、第三者が夜陰などにパチンコ店に忍び込むなどして、特定のパチンコ機器にこのような不正な手段を施すという事例も考えられる。
【０００４】
本発明は、このような従来の問題点に鑑みてなされたもので、出球率を不正に変更できなく、簡単にソケットコネクタをプラグコネクタから着脱することができない構造の電気コネクタを提供せんとするものである。
【課題を解決するための手段】
【０００５】
上記目的は、請求項１記載のように、複数のピンコンタクト４４と該ピンコンタクト４４が保持・配列されるブロック４２とを有する直型タイプのプラグコネクタ４０と複数のソケットコンタクト６４と該ソケットコンタクト６４が保持・配列されるハウジング６２とを有するケーブル付きソケットコネクタ６０を備える電気コネクタ１０であって、前記プラグコネクタ４０と前記ソケットコネクタ６０とが着脱される電気コネクタ１０において、前記プラグコネクタ４０と前記ソケットコネクタ６０が嵌合された状態の電気コネクタ１０を挟み込むように保持できる保持部材Ａ２０と保持部材Ｂ３０を備え、前記保持部材Ａ２０と前記保持部材Ｂ３０により前記電気コネクタ１０を保持することで前記プラグコネクタ４０と前記ソケットコネクタ６０の着脱を防止することにより達成できる。
【０００６】
上記目的は、請求項７記載のように、複数のピンコンタクト４４と該ピンコンタクト４４が保持・配列されるブロック４２とを有するＬ型タイプ（アングルタイプ）のプラグコネクタ４１と複数のソケットコンタクト６４と該ソケットコンタクト６４が保持・配列されるハウジング６２とを有するケーブル付きソケットコネクタ６１を備える電気コネクタ１１であって、前記プラグコネクタ４１と前記ソケットコネクタ６１とが着脱される電気コネクタ１１において、前記プラグコネクタ４１と前記ソケットコネクタ６１が嵌合された状態の電気コネクタ１１に前記ピンコンタクト４４の接続方向より装着される装着本体７０と該装着本体７０に装着される装着部材９０とを備え、前記装着本体７０と前記装着部材９０により前記電気コネクタ１１を保持することで前記プラグコネクタ４１と前記ソケットコネクタ６１の着脱を防止することにより達成できる。
【０００７】
請求項２記載の電気コネクタ１０は、前記保持部材Ａ２０と前記保持部材Ｂ３０は互いが係合した状態で前記電気コネクタ１０を保持できる挿入部２１、３１と前記ケーブル８０の逃げ部３６と互いに係合するために係合手段を有することを特徴とする請求項１記載の電気コネクタ１０である。
また、請求項３記載の電気コネクタ１０は、前記保持部材Ａ２０と前記保持部材Ｂ３０は一度係合すると前記保持部材Ａ２０と前記保持部材Ｂ３０の両方を破壊しなければ、前記プラグコネクタ４０と前記ソケットコネクタ６０の着脱ができないことを特徴とする請求項１または２記載の電気コネクタである。
【０００８】
請求項４記載の電気コネクタ１０は、前記保持部材Ａ２０と前記保持部材Ｂ３０にニッパ等の差込口２５、３５を設けることを特徴とする請求項１、２または３記載の電気コネクタ１０である。
また、請求項５記載の電気コネクタ１０は、前記保持部材Ａ２０を前記電気コネクタ１０に装着した後に、前記保持部材Ｂ３０を前記ソケットコネクタ挿入方向から挿入し、前記保持部材Ａ２０と前記保持部材Ｂ３０を係合することを特徴とする請求項１、２または３、４記載の電気コネクタ１０である。
さらに、請求項６記載の電気コネクタ１０は、前記保持部材Ａ２０と前記保持部材Ｂ３０を透明若しくは半透明にすることを特徴とする請求項１から５項のうちいずれか１項記載の電気コネクタ１０である。
【０００９】
請求項８記載の電気コネクタ１１は、前記装着部材９０を２分割にするとともに２つの前記装着部材９０を前記装着本体７０の長手方向両側に装着し、前記装着本体７０と２つの前記装着部材９０により前記電気コネクタ１１を保持することで前記プラグコネクタ４１と前記ソケットコネクタ６１の着脱を防止することを特徴とする請求項７記載の電気コネクタである。
また、請求項９記載の電気コネクタ１１は、前記装着本体７０と前記装着部材９０には互いに係合する係合手段を有し、前記装着本体７０には前記プラグコネクタ４１と前記ソケットコネクタ６１とが嵌合した状態の前記電気コネクタ１１が入る挿入部７１と前記ケーブル８０の逃げ部７６を有し、前記装着部材９０には前記装着本体７０の空間部７５を覆う装着凹部９１を有することを特徴とする請求項７または８記載の電気コネクタ１１である。
さらに、請求項１０記載の電気コネクタ１１は、前記装着本体７０の挿入部７１には前記プラグコネクタ４１の底面の係合孔４９に対応する位置に前記係合孔４９に入る位置決めボス７２を設けるとともに前記プラグコネクタ４１の長手方向両側の嵌合孔４７に対応する位置に上面より挿入部７１に貫通する嵌入孔７４を設け、前記装着部材９０の装着凹部内９１には前記嵌入孔７４に入る係合ボス９３を設け、前記プラグコネクタ４１と前記ソケットコネクタ６１とが嵌合した状態の前記電気コネクタ１１に前記装着本体７０を装着した後に前記装着部材９０を前記装着本体７０と係合させることにより前記プラグコネクタ４１と前記ソケットコネクタ６１の着脱を防止することを特徴とする請求項７または８記載の電気コネクタ１１である。
請求項１１記載の電気コネクタ１１は、前記装着部材９０には前記プラグコネクタ４１と前記ソケットコネクタ６１とが嵌合した状態の前記電気コネクタ１１の底面部分に係合するロック手段を設け、前記装着本体７０には前記ロック手段に対応する位置に逃げ切欠部７６を設けることを特徴とする請求項８または９、１０記載の電気コネクタ１１である。
【００１０】
請求項１２記載の電気コネクタ１１は、前記装着本体７０と前記装着部材９０は一度係合すると前記装着本体７０と前記装着部材９０の両方を破壊しなければ、前記プラグコネクタ４１と前記ソケットコネクタ６１の着脱ができないことを特徴とする請求項７、８または９、１０、１１記載の電気コネクタ１１である。
また、請求項１３記載の電気コネクタ１１は、前記装着本体７０と前記装着部材９０にニッパ等の差込口７７、９４を設けることを特徴とする請求項７、８または９、１０、１１、１２記載の電気コネクタ１１である。
さらに、請求項１４記載の電気コネクタ１１は、前記装着本体７０と前記装着部材９０を透明若しくは半透明にすることを特徴とする請求項６から１３項のうちいずれか１項記載の電気コネクタ１１である。
【発明の効果】
【００１１】
以上の説明から明らかなように、本発明の遊戯機に用いられる電気コネクタによると、次のような優れた顕著な効果が得られる。
（１）請求項１のように、複数のピンコンタクト４４と該ピンコンタクト４４が保持・配列されるブロック４２とを有する直型タイプのプラグコネクタ４０と複数のソケットコンタクト６４と該ソケットコンタクト６４が保持・配列されるハウジング６２とを有するケーブル付きソケットコネクタ６０を備える電気コネクタ１０であって、前記プラグコネクタ４０と前記ソケットコネクタ６０とが着脱される電気コネクタ１０において、前記プラグコネクタ４０と前記ソケットコネクタ６０が嵌合された状態の電気コネクタ１０を挟み込むように保持できる保持部材Ａ２０と保持部材Ｂ３０を備え、前記保持部材Ａ２０と前記保持部材Ｂ３０により前記電気コネクタ１０を保持することで前記プラグコネクタ４０と前記ソケットコネクタ６０の着脱を防止しているので、前記保持部材Ａ２０と前記保持部材Ｂ３０は一度係合すると前記保持部材Ａ２０と前記保持部材Ｂ３０の両方を破壊しないと前記プラグコネクタ４０と前記ソケットコネクタ６０との着脱ができないため、別のソケットコネクタに付け替えることができず、かつ、不正に出球率を変えることができない。
（２）請求項２記載の電気コネクタ１０は、前記保持部材Ａ２０と前記保持部材Ｂ３０は互いが係合した状態で前記電気コネクタ１０を保持できる挿入部２１、３１と前記ケーブル８０の逃げ部３６と互いに係合するために係合手段を有しているので、前記保持部材Ａ２０と前記保持部材Ｂ３０を両コネクタ４０、６０を嵌合した状態の電気コネクタ１０に係合することができ、着脱を防止でき、不正に出球率を変えることができない。
（３）請求項３記載の電気コネクタ１０は、前記保持部材Ａ２０と前記保持部材Ｂ３０は一度係合すると前記保持部材Ａ２０と前記保持部材Ｂ３０の両方を破壊しなければ、前記プラグコネクタ４０と前記ソケットコネクタ６０の着脱ができないようにしているので、不正に出球率を変えることができない。
（４）請求項４記載の電気コネクタ１０は、前記保持部材Ａ２０と前記保持部材Ｂ３０にニッパ等の差込口２５、３５を設けているので、前記プラグコネクタ４０と前記ソケットコネクタ６０を着脱したいときには容易に前記保持部材Ａ２０と前記保持部材Ｂ３０を破壊することができる。
（５）請求項５記載の電気コネクタ１０は、前記保持部材Ａ２０を前記電気コネクタ１０に装着した後に、前記保持部材Ｂ３０を前記ソケットコネクタ挿入方向から挿入し、前記保持部材Ａ２０と前記保持部材Ｂ３０を係合しているので、幅方向にスペースがない場合にも前記保持部材２０と前記保持部材３０とを容易に係合することができ、一度係合すると前記保持部材Ａ２０と前記保持部材Ｂ３０の両方を破壊しないと前記プラグコネクタ４０と前記ソケットコネクタ６０との着脱ができないため、別のソケットコネクタに付け替えることができず、かつ、不正に出球率を変えることができない。
（６）請求項５記載の電気コネクタ１０は、前記保持部材Ａ２０と前記保持部材Ｂ３０を透明若しくは半透明にしているので、仮に不正が行われた際に前記保持部材Ａ２０と前記保持部材Ｂ３０が破損していることが容易に判る。
【００１２】
（７）請求項７のように、複数のピンコンタクト４４と該ピンコンタクト４４が保持・配列されるブロック４２とを有するＬ型タイプ（アングルタイプ）のプラグコネクタ４１と複数のソケットコンタクト６４と該ソケットコンタクト６４が保持・配列されるハウジング６２とを有するケーブル付きソケットコネクタ６１を備える電気コネクタ１１であって、前記プラグコネクタ４１と前記ソケットコネクタ６１とが着脱される電気コネクタ１１において、前記プラグコネクタ４１と前記ソケットコネクタ６１が嵌合された状態の電気コネクタ１１に前記ピンコンタクト４４の接続方向より装着される装着本体７０と該装着本体７０に装着される装着部材９０とを備え、前記装着本体７０と前記装着部材９０により前記電気コネクタ１１を保持することで前記プラグコネクタ４１と前記ソケットコネクタ６１の着脱を防止しているので、前記装着本体７０と前記装着部材９０は一度係合すると前記装着本体７０と前記装着部材９０の両方を破壊しないと前記プラグコネクタ４１と前記ソケットコネクタ６１との着脱ができないため、別のソケットコネクタに付け替えることができず、かつ、不正に出球率を変えることができない。
（８）請求項８記載の電気コネクタ１１は、前記装着部材９０を２分割にするとともに２つの前記装着部材９０を前記装着本体７０の長手方向両側に装着し、前記装着本体７０と２つの前記装着部材９０により前記電気コネクタ１１を保持することで前記プラグコネクタ４１と前記ソケットコネクタ６１の着脱を防止しているので、前記装着本体７０と前記装着部材９０は一度係合すると前記装着本体７０と前記装着部材９０の両方を破壊しないと前記プラグコネクタ４１と前記ソケットコネクタ６１との着脱ができないため、別のソケットコネクタに付け替えることができず、かつ、不正に出球率を変えることができない。
（９）請求項９記載の電気コネクタ１１は、前記装着本体７０と前記装着部材９０には互いに係合する係合手段を有し、前記装着本体７０には前記プラグコネクタ４１と前記ソケットコネクタ６１とが嵌合した状態の前記電気コネクタ１１が入る挿入部７１と前記ケーブル８０の逃げ部７６を有し、前記装着部材９０には前記装着本体７０の空間部７５を覆う装着凹部９１を有しているので、前記装着本体７０と前記装着部材９０とで両コネクタ４０、６０を嵌合した状態の電気コネクタ１１を保持でき、着脱を防止でき、不正に出球率を変えることができない。
（１０）請求項１０記載の電気コネクタ１１は、前記装着本体７０の挿入部７１には前記プラグコネクタ４１の底面の係合孔４９に対応する位置に前記係合孔４９に入る位置決めボス７２を設けるとともに前記プラグコネクタ４１の長手方向両側の嵌合孔４７に対応する位置に上面より挿入部７１に貫通する嵌入孔７４を設け、前記装着部材９０の装着凹部内９１には前記嵌入孔７４に入る係合ボス９３を設け、前記プラグコネクタ４１と前記ソケットコネクタ６１とが嵌合した状態の前記電気コネクタ１１に前記装着本体７０を装着した後に前記装着部材９０を前記装着本体７０と係合させることにより前記プラグコネクタ４１と前記ソケットコネクタ６１の着脱を防止しているので、前記装着本体７０と前記装着部材９０とで両コネクタ４０、６０を嵌合した状態の電気コネクタ１１を保持でき、着脱を防止でき、不正に出球率を変えることができない。
（１１）請求項１１記載の電気コネクタ１１は、前記装着部材９０には前記プラグコネクタ４１と前記ソケットコネクタ６１とが嵌合した状態の前記電気コネクタ１１の底面部分に係合するロック手段を設け、前記装着本体７０には前記ロック手段に対応する位置に逃げ切欠部７６を設けているので、確実に嵌合した状態の電気コネクタ１１と係合しているためにロックが確実にでき、着脱を防止でき、不正に出球率を変えることができない。
（１２）請求項１２記載の電気コネクタ１１は、前記装着本体７０と前記装着部材９０は一度係合すると前記装着本体７０と前記装着部材９０の両方を破壊しなければ、前記プラグコネクタ４１と前記ソケットコネクタ６１の着脱ができないようにしているので、不正に出球率を変えることができない。
（１３）請求項１３記載の電気コネクタ１１は、前記装着本体７０と前記装着部材９０にニッパ等の差込口７７、９４を設けているので、前記プラグコネクタ４１と前記ソケットコネクタ６１を着脱したいときには容易に前記装着部材７０と前記装着部材９０を破壊することができる。
（１４）請求項１４記載の電気コネクタ１１は、前記装着本体７０と前記装着部材９０を透明若しくは半透明にしているので、仮に不正が行われた際に装着本体７０と装着部材９０が破損していることが容易に判る。
【発明を実施するための最良の形態】
【００１３】
図１から図５に基づいて、本発明の遊戯機に用いられる電気コネクタの一実施例について説明する。図１は本発明の電気コネクタの斜視図であり、図２は本発明の電気コネクタをプラグコネクとソケットコネクタと保持部材Ａと保持部材Ｂに分解した状態のそれぞれの斜視図である。図３（Ａ）は本発明の電気コネクタをプラグコネクタとソケットコネクタとが嵌合した状態と保持部材Ａと保持部材Ｂに分解した状態の保持部材Ｂからみたそれぞれの斜視図であり、（Ｂ）は本発明の電気コネクタをプラグコネクタとソケットコネクタとが嵌合した状態と保持部材Ａと保持部材Ｂに分解した状態の保持部材Ａからみたそれぞれの斜視図である。図４（Ａ）は本発明の電気コネクタをプラグコネクタとソケットコネクタとが嵌合したものが保持部材Ａに装着された状態と保持部材Ｂに分解した状態の保持部材Ｂからみたそれぞれの斜視図であり、（Ｂ）は本発明の電気コネクタをプラグコネクタとソケットコネクタとが嵌合したものが保持部材Ａに装着された状態と保持部材Ｂに分解した状態の保持部材Ａからみたそれぞれの斜視図である。図５（Ａ）は本発明の電気コネクタをプラグコネクタとソケットコネクタとが嵌合したものが保持部材Ｂに装着された状態と保持部材Ａに分解した状態の保持部材Ａからみたそれぞれの斜視図であり、（Ｂ）は本発明の電気コネクタをプラグコネクタとソケットコネクタとが嵌合したものが保持部材Ｂに装着された状態と保持部材Ａに分解した状態の保持部材Ｂからみたそれぞれの斜視図である。
図１から図５に示された本発明の電気コネクタ１０は、プラグコネクタ４０とソケットコネクタ６０と保持部材Ａ２０と保持部材Ｂ３０を備えている。本実施例の前記プラグコネクタ４０はピンコンタクト４４とブロック４２とロック部材４６を有し、前記ソケットコネクタ６０はソケットコンタクト６４とハウジング６２とカバー６６を有している。以下において、それぞれの部位について説明する。
【００１４】
まず、本発明のポイントである保持部材Ａ２０と保持部材Ｂ３０について説明する。前記保持部材Ａ２０と前記保持部材Ｂ３０は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリエーテルイミド（ＰＥＩ）やポリエーテルサルフォン（ＰＥＳ）やこれらの合成材料を挙げることができる。半透明や透明にする場合には、ポリエーテルイミド（ＰＥＩ）やポリエーテルサルフォン（ＰＥＳ）やこれらの合成材料を挙げることができる。
【００１５】
前記保持部材Ａ２０と前記保持部材Ｂ３０の役割は、基板に実装された前記プラグコネクタ４０にケーブルが付いたソケットコネクタ６０を嵌合した状態のものを覆うことにより一度前記保持部材Ａ２０と前記保持部材Ｂ３０を装着すると、前記プラグコネクタ４０から前記ソケットコネクタ６０を着脱できないようにするものである。前記保持部材Ａ２０と前記保持部材Ｂ３０には嵌合した状態のプラグコネクタ４０とソケットコネクタ６０が入る挿入部２１、３１が設けられている。各々の前記挿入部２１、３１の大きさ・形状は、嵌合した状態の前記プラグコネクタ４０と前記ソケットコネクタ６０が入ればよく、嵌合した状態の前記プラグコネクタ４０と前記ソケットコネクタ６０の大きさ・形状に沿って適宜設計する。つまり、前記保持部材Ａ２０の挿入部２１と前記保持部材Ｂ３０の挿入部３１とで、嵌合した状態の前記プラグコネクタ４０と前記ソケットコネクタ６０とが入る空欄（挿入部）を形成すればよい。
【００１６】
最初に、前記保持部材Ｂ３０について説明する。前記保持部材Ｂ３０は図２のように略板状をし、上述のような前記挿入部３１が形成されている。前記保持部材Ｂ３０の長手方向（図２の横方向）両側には、前記保持部材Ａ２０の装着方向に突出した係合部３２が設けられている。前記係合部３２の先端は、一度前記保持部材Ａ２０と係合した場合には外れないように矢じり形状をしている。前記係合部３２の形状・大きさは、一度前記保持部材Ａ２０と係合した場合には外れないように適宜設計している。
【００１７】
前記保持部材Ｂ３０には、前記ケーブル８０の逃げ部３６が設けられている。前記逃げ部３６は前記ケーブル８０が逃げられればよく、前記ケーブル８０に対応した位置に設けられている。
また、前記保持部材Ｂ３０には、ほぼ長手方向の中央付近に前記保持部材Ａ２０に引っかかるフック部３３が設けられている。前記フック部３３は前記保持部材Ａ２０の引っ掛け部２３に引っ掛かることで前記保持部材Ａ２０と前記保持部材Ｂ３０とをより確実に保持するためのものである。つまり、前記フック部３３を設けたのは、前記係合部３２は長手方向両側にだけあるので、中央付近の保持を補完するためのものである。前記フック部３３の形状・大きさはこのような役割やバネ性や強度を考慮して適宜設計している。
【００１８】
前記保持部材Ｂ３０には、前記係合部３２、３２と前記フック部３３のほぼ中間に、前記保持部材Ａ２０との係合時の位置合わせのために位置決めボス３４が設けられている。前記位置決めボス３４は前記保持部材Ａ２０と前記保持部材Ｂ３０の係合時の位置決めとガイドの役割を果たすためのものである。
また、前記保持部材Ｂ３０には、前記プラグコネクタ４０から前記ソケットコネクタ６０を着脱したい時に、前記保持部材Ａ２０と前記保持部材Ｂ３０を外し（破壊）易くするために前記係合部３２の内側付近に差込口３５が設けられている。前記差込口３５はニッパ等で上端部分を切断するだけで、前記保持部材Ｂ３０が外れる（破壊できる）ようにしている。
【００１９】
つぎに、前記保持部材Ａ２０について説明する。前記保持部材Ａ２０は図２のように略箱型形状をし、上述のような前記挿入部２１が形成されている。前記保持部材Ａ２０の長手方向（図２の横方向）両側には、前記保持部材Ｂ３０の係合部３２に対応した位置に、係止部２２が設けられている。前記係止部２２は、前記保持部材Ｂ３０の前記係合部３２と係合することで、一度前記保持部材Ｂ３０と係合した場合には外れないようにしている。前記係止部２２の形状・大きさは、一度前記保持部材Ｂ３０と係合した場合には外れないように適宜設計している。本実施例では、前記係止部２２として、前記係合部３２が入る挿入孔２６を設け、前記挿入孔２６の奥側の上下側に孔若しくは溝を設けている。前記係合部３２が前記孔若しくは溝に係合することで一度係合すると外れないようにしている。
【００２０】
前記保持部材Ａ２０には、前記フック部３３に対応した位置に引っ掛け部２３が設けられている。前記引っ掛け部２３は前記保持部材Ｂ３０のフック部３３に引っ掛かることで前記保持部材Ａ２０と前記保持部材Ｂ３０とをより確実に保持するためのものである。つまり、前記引っ掛け部２３を設けたのは、前記係止部２２は長手方向両側にだけあるので、中央付近の保持を補完するためのものである。前記引っ掛け部２３の形状・大きさはこのような役割やバネ性や強度を考慮して適宜設計している。
【００２１】
前記保持部材Ａ２０には、前記位置決めボス３４に対応した位置に孔２４が設けられている。前記位置決めボス３４が前記孔２４に入ることによって、前記保持部材Ａ２０と前記保持部材Ｂ３０との係合がする際の位置決めとガイドの役割を果たしている。前記孔２４はこのような役割と前記位置決めボス３４の入り易さを考慮して適宜設計する。
また、前記保持部材Ａ２０には、前記プラグコネクタ４０から前記ソケットコネクタ６０を着脱したい時に、前記保持部材Ａ２０と前記保持部材Ｂ３０を外し（破壊）易くするために前記係止部２２の内側付近に差込口２５が設けられている。前記差込口２５はニッパ等で上端部分を切断するだけで、前記保持部材Ａ２０が外れる（破壊できる）ようにしている。
【００２２】
次に、前記プラグコネクタ４０について説明する。前記プラグコネクタ４０はピンコンタクト４４とブロック４２とロック部材４６を有している。以下でそれぞれの部位について説明する。
最初に、ブロック４２について説明する。このブロック４２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ブロック４２には、所要数のピンコンタクト４４が装着される挿入溝が設けられており、圧入や引っ掛け（ランス）や溶着等によって固定されている。また、前記ブロック４２には前記ソケットコネクタ６０が挿入される嵌合口４８が設けられ、前記嵌合口４８の大きさは前記ソケットコネクタ６０が挿入でき、前記ソケットコネクタ６０が挿入された際に各々のコンタクト４４、６４同士が接触するように適宜設計されている。
【００２３】
次に、ピンコンタクト４４について説明する。このピンコンタクト４４は金属製であり、公知技術のプレス加工によって製作されている。前記ピンコンタクト４４の材質としては、バネ性や導電性などが要求されるので、黄銅やベリリウム銅やリン青銅等を挙げることができる。前記ピンコンタクト４４は前記ソケットコンタクト６４と接触する接触部と前記ブロック４２に固定される固定部と基板に接続する接続部を有している。前記ピンコンタクト４４は直型タイプである。前記接続部のタイプは、表面実装タイプでもディップタイプでもよい。
【００２４】
次に、ロック部材４６について説明する。このロック部材４６は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ロック部材４６は前記ブロック４２の長手ピッチ方向の両側に回動（回転）可能に装着されている。前記ロック部材４６の役割は、前記ソケットコネクタ６０が前記ブロック４２の嵌合口４８に嵌合された際に抜けないように押さえ付けるためのものである。前記ロック部材４６は回動（回転）し、このような役割が満足するように、形状・大きさを適宜設計している。
【００２５】
最後に、前記ソケットコネクタ６０について説明する。前記ソケットコネクタ６０はソケットコンタクト６４とハウジング６２とカバー６６を有している。以下でそれぞれの部位について説明する。
最初に、ハウジング６２について説明する。このハウジング６２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ハウジング６２には、所要数のソケットコンタクト６４が装着される挿入溝が設けられており、圧入や引っ掛け（ランス）や溶着等によって固定されている。
【００２６】
次に、前記ソケットコンタクト６４について説明する。このソケットコンタクト６４は金属製であり、公知技術のプレス加工によって製作されている。前記ソケットコンタクト６４の材質としては、バネ性や導電性などが要求されるので、黄銅やベリリウム銅やリン青銅等を挙げることができる。前記ソケットコンタクト６４は前記ピンコンタクト４４と接触する接触部と前記ハウジング６２に固定される固定部とケーブルに接続する接続部を有している。前記接続部のケーブルの接続方法は、圧接でも、半田付けでも、圧着でもよいが、本実施例では圧接にしている。
【００２７】
次に、カバー６６について説明する。このカバー６６は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記カバー６６は前記ハウジング６２に係合させ、前記ケーブル８０を前記ソケットコンタクト６４の接続部に押し付け、前記ケーブル８０を前記ソケットコンタクト６４に圧接するためのものである。つまり、前記ケーブル８０の接続前においては前記カバー６６は前記ハウジング６２に仮保持状態になっており、前記ケーブル８０を接続する際に押し付けることで本保持状態になる。
【００２８】
図１６から図１９に基づいて、図１から図５に示された電気コネクタとは別の本発明の遊戯機に用いられる電気コネクタの一実施例について説明する。図１６は本発明の図１とは別の電気コネクタの斜視図である。図１７は本発明の図１とは別の電気コネクタをプラグコネクとソケットコネクタと保持部材Ａと保持部材Ｂに分解した状態のそれぞれの斜視図である。図１８（Ａ）は本発明の図１とは別の電気コネクタをプラグコネクタとソケットコネクタとが嵌合した状態と保持部材Ａと保持部材Ｂに分解した状態の保持部材Ｂからみたそれぞれの斜視図であり、（Ｂ）は本発明の図１とは別の電気コネクタをプラグコネクタとソケットコネクタとが嵌合した状態と保持部材Ａと保持部材Ｂに分解した状態の保持部材Ａからみたそれぞれの斜視図である。図１９（Ａ）は本発明の図１とは別の電気コネクタをプラグコネクタとソケットコネクタとが嵌合したものが保持部材Ａに装着された状態と保持部材Ｂに分解した状態の保持部材Ｂからみたそれぞれの斜視図であり、（Ｂ）は本発明の図１とは別の電気コネクタをプラグコネクタとソケットコネクタとが嵌合したものが保持部材Ａに装着された状態と保持部材Ｂに分解した状態の保持部材Ａからみたそれぞれの斜視図である。
図１６から図１９の本発明の図１とは別の電気コネクタ１０は、プラグコネクタ４０とソケットコネクタ６０と保持部材Ａ２０と保持部材Ｂ３０を備えている。本実施例の前記プラグコネクタ４０はピンコンタクト４４とブロック４２とロック部材４６を有し、前記ソケットコネクタ６０はソケットコンタクト６４とハウジング６２とカバー６６を有している。以下において、それぞれの部位について上記実施例と相違する部分についてのみ説明する。プラグコネクタ４０のピンコンタクト４４とブロック４２とロック部材４６は、上記で説明した通りであり、説明を省略する。また、前記ソケットコネクタ６０のソケットコンタクト６４とハウジング６２とカバー６６も上記で説明した通りであり、説明を省略する。
【００２９】
図１の実施例と図１６から図１９の実施例の大きな相違点は、前記保持部材３０の装着方向である。つまり、図１６から図１９の実施例では、前記保持部材Ａ２０を前記電気コネクタ１０に装着した後に、前記保持部材Ｂ３０を前記ソケットコネクタ挿入方向から挿入し、前記保持部材Ａ２０と前記保持部材Ｂ３０を係合させている。このようにすることで、幅方向にスペースがない場合にも前記保持部材Ａ２０と前記保持部材Ｂ３０とを容易に係合することができ、一度係合すると前記保持部材Ａ２０と前記保持部材Ｂ３０の両方を破壊しないと前記プラグコネクタ４０と前記ソケットコネクタ６０との着脱ができないようにしている。以下で、前記保持部材Ａ２０と前記保持部材Ｂ３０の部分的な相違点について説明する。
【００３０】
前記保持部材Ａ２０と前記保持部材Ｂ３０の役割は、図１の実施例で説明したものと同様である。前記保持部材Ａ２０と前記保持部材Ｂ３０には嵌合した状態のプラグコネクタ４０とソケットコネクタ６０が入る挿入部２１、３１が設けられている。各々の前記挿入部２１、３１の大きさ・形状は、嵌合した状態の前記プラグコネクタ４０と前記ソケットコネクタ６０が入ればよく、嵌合した状態の前記プラグコネクタ４０と前記ソケットコネクタ６０の大きさ・形状に沿って適宜設計する。つまり、前記保持部材Ａ２０の挿入部２１と前記保持部材Ｂ３０の挿入部３１とで、嵌合した状態の前記プラグコネクタ４０と前記ソケットコネクタ６０とが入る空欄（挿入部）を形成すればよい。図１６から図１９の実施例の前記保持部材Ａ２０と前記保持部材Ｂ３０の材料は、上述の図１の実施例と同様である。
【００３１】
最初に、前記保持部材Ｂ３０について説明する。前記保持部材Ｂ３０は図１７のように略Ｌ字形状をし、上述のような前記挿入部３１が形成されている。前記保持部材Ｂ３０の上面側で、かつ、長手方向両端（図１７の横方向）から長さの４分の１付近に前記ソケットコネクタ挿入方向に突出した２つの係合部３２が設けられている。前記係合部３２の先端は、一度前記保持部材Ａ２０と係合した場合には外れないように矢じり形状をしている。前記係合部３２の形状・大きさは、一度前記保持部材Ａ２０と係合した場合には外れないように適宜設計している。
【００３２】
前記保持部材Ｂ３０には、前記ケーブル８０の逃げ部３６が設けられている。前記逃げ部３６は前記ケーブル８０が逃げられればよく、前記ケーブル８０に対応した位置に設けられている。
また、前記保持部材Ｂ３０には、長手方向両側（図１７の横方向）に前記保持部材Ａ２０に引っかかるフック部３３が設けられている。前記フック部３３は前記保持部材Ａ２０の引っ掛け部２３に引っ掛かることで前記保持部材Ａ２０と前記保持部材Ｂ３０とをより確実に保持するためのものである。つまり、前記フック部３３を設けたのは、前記係合部３２はほぼ中央付近にだけあるので、長手方向両側の保持を補完するためのものである。前記フック部３３の形状・大きさはこのような役割やバネ性や強度を考慮して適宜設計している。
【００３３】
前記保持部材Ｂ３０には、長手方向両側（図１７の横方向）の前記フック部３３付近に、前記保持部材Ａ２０との係合時の位置合わせのために位置決めボス３４が設けられている。前記位置決めボス３４は前記保持部材Ａ２０と前記保持部材Ｂ３０の係合時の位置決めとガイドの役割を果たすためのものである。
また、前記保持部材Ｂ３０には、前記プラグコネクタ４０から前記ソケットコネクタ６０を着脱したい時に、前記保持部材Ａ２０と前記保持部材Ｂ３０を外し（破壊）易くするために前記係合部３２の付け根の外側に差込口３５が設けられている。前記差込口３５はニッパ等で上端部分を切断するだけで、前記保持部材Ｂ３０が外れる（破壊できる）ようにしている。
【００３４】
つぎに、前記保持部材Ａ２０について説明する。前記保持部材Ａ２０は図１８（Ａ）のように略箱型形状をし、上述のような前記挿入部２１が形成されている。前記保持部材Ａ２０の上面側で、かつ、長手方向両端（図１８（Ａ）の横方向）から長さの４分の１付近には、前記保持部材Ｂ３０の係合部３２に対応した位置に、係止部２２が設けられている。前記係止部２２は、前記保持部材Ｂ３０の前記係合部３２と係合することで、一度前記保持部材Ｂ３０と係合した場合には外れないようにしている。前記係止部２２の形状・大きさは、一度前記保持部材Ｂ３０と係合した場合には外れないように適宜設計している。本実施例では、前記係止部２２として、前記係合部３２が入る挿入孔２６を設け、前記挿入孔２６の奥側の上下側に孔若しくは溝を設けている。前記係合部３２が前記孔若しくは溝に係合することで一度係合すると外れないようにしている。
【００３５】
前記保持部材Ａ２０には、前記フック部３３に対応した位置に引っ掛け部２３が設けられている。前記引っ掛け部２３は前記保持部材Ｂ３０のフック部３３に引っ掛かることで前記保持部材Ａ２０と前記保持部材Ｂ３０とをより確実に保持するためのものである。つまり、前記引っ掛け部２３を設けたのは、前記係止部２２はほぼ中央付近にだけあるので、長手方向両側の保持を補完するためのものである。前記引っ掛け部２３の形状・大きさはこのような役割やバネ性や強度を考慮して適宜設計している。
【００３６】
前記保持部材Ａ２０には、前記位置決めボス３４に対応した位置に孔２４が設けられている。前記位置決めボス３４が前記孔２４に入ることによって、前記保持部材Ａ２０と前記保持部材Ｂ３０との係合がする際の位置決めとガイドの役割を果たしている。前記孔２４はこのような役割と前記位置決めボス３４の入り易さを考慮して適宜設計する。
【００３７】
図６から図１０に基づいて、本発明の遊戯機に用いられる別の電気コネクタの一実施例について説明する。図６は別の本発明の電気コネクタの斜視図であり、図７は別の本発明の電気コネクタをプラグコネクとソケットコネクタと装着本体と２つの装着部材に分解した状態のそれぞれの斜視図である。図８（Ａ）は本発明の装着本体を、装着方向からみた斜視図であり、（Ｂ）は本発明の装着本体を、装着方向と逆側からみた斜視図である。図９（Ａ）は本発明の装着部材を、装着方向からみた斜視図であり、（Ｂ）は本発明の装着部材を、装着方向と逆側からみた斜視図である。図１０は本発明の電気コネクタを、プラグコネクタとソケットコネクタとが嵌合したものに装着本体が装着された状態のものと、装着部材が分解した状態のものにし、装着部材方向からみたそれぞれの斜視図である。
図６から図１０に示された本発明の別の電気コネクタ１１は、プラグコネクタ４１とソケットコネクタ６１と装着本体７０と２つの装着部材９０を備えている。上述と同様に、本実施例の前記プラグコネクタ４１はピンコンタクト４４とブロック４２とロック部材４６を有し、前記ソケットコネクタ６１はソケットコンタクト６４とハウジング６２とカバー６６を有している。以下において、それぞれの部位について上記実施例と相違する部分についてのみ説明する。
【００３８】
まず、本発明のポイントである装着本体７０と装着部材９０について説明する。前記装着本体７０と前記装着部材９０は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリエーテルイミド（ＰＥＩ）やポリエーテルサルフォン（ＰＥＳ）やこれらの合成材料を挙げることができる。半透明や透明にする場合には、ポリエーテルイミド（ＰＥＩ）やポリエーテルサルフォン（ＰＥＳ）やこれらの合成材料を挙げることができる。
【００３９】
前記装着本体７０と前記装着部材９０の役割は、基板に実装された前記プラグコネクタ４１にケーブルが付いたソケットコネクタ６１を嵌合した状態のものに装着することにより一度前記装着本体７０と前記装着部材９０を装着すると、前記プラグコネクタ４１から前記ソケットコネクタ６１を着脱できないようにするものである。前記装着本体７０には基板に実装された前記プラグコネクタ４１にケーブルが付いたソケットコネクタ６１を嵌合した状態の電気コネクタ１１が入る挿入部７１と前記ケーブル８０を逃げる逃げ部７６が設けられている。前記挿入部７１の大きさ・形状は、嵌合した状態の前記プラグコネクタ４１と前記ソケットコネクタ６１が入ればよく、嵌合した状態の前記プラグコネクタ４１と前記ソケットコネクタ６１の大きさ・形状に沿って適宜設計する。
【００４０】
最初に、前記装着部材９０について説明する。前記装着部材９０は図９のように断面略Ｕ字形状をし、前記装着本体７０の空間部７５を覆うように装着される装着凹部９１が設けられている。前記装着凹部９１内のほぼ中央には、装着方向に突出した前記装着本体７０の係止孔７３に係合する係合部９２が設けられている。
前記係合部９２の先端は、一度前記装着本体７０の係止孔７３と係合した場合には外れないように矢じり形状をしている。前記係合部９２の形状・大きさは、一度前記装着本体７０と係合した場合には外れないように適宜設計している。
【００４１】
前記装着部材９０の装着凹部９１内には、前記装着本体７０の嵌入孔７４と前記プラグコネクタ４１の嵌合孔４７に対応する位置に、前記嵌入孔７４と前記嵌合孔４７に入る係合ボス９３が設けられている。すなわち、基板に実装された前記プラグコネクタ４１の嵌合孔４７と前記装着本体７０の嵌入孔７４は、前記装着本体７０が前記プラグコネクタ４１に装着された状態で、合致するようになっている。前記係合ボス９３は、前記装着部材９０と前記装着本体７０及び前記プラグコネクタ４１との位置合わせをするものである。前記係合ボス９３の形状・大きさは、このような役割や強度や加工性を考慮して適宜設計する。コジリや位置ずれを考慮すると、前記係合ボス９３は前記装着本体７０の嵌入孔７４に軽圧入することが望ましい。前記係合ボス９３には、必要に応じて、前記係合部９２のような形状を備えてもよく、前記装着本体７０の孔に係合するようにする。
【００４２】
前記装着部材９０には、前記プラグコネクタ４１から前記ソケットコネクタ６１を着脱したい時に、前記装着部材９０を外し（破壊）易くするために前記係合部９２と前記係合ボス９３付近に差込口９４が設けられている。前記差込口９４はニッパ等で上端部分を切断するだけで、前記装着部材９０が外れる（破壊できる）ようにしている。図６、図７及び図１０には、一方側にしか前記装着部材９０が記載されてないが、当然長手方向両側に装着される。
【００４３】
つぎに、前記保装着本体７０について説明する。前記保装着本体７０は図８のように略Ｕ字形状をし、上述のような前記挿入部７１が形成されている。前記装着本体７０の長手方向（図８の横方向）両側には、前記装着部材９０の係合部９２に対応した位置に、係止孔７３が設けられている。前記係止孔７３は、前記装着部材９０の前記係合部９２と係合することで、一度前記装着部材９０と係合した場合には外れないようにしている。即ち、前記プラグコネクタ４１と前記ソケットコネクタ６１が嵌合した状態の電気コネクタ１１に前記装着本体７０と前記装着部材９０とが装着された状態では、前記プラグコネクタ４１と前記ソケットコネクタ６１は着脱できないようになる。前記係止孔７３の形状・大きさは、一度前記装着部材９０と係合した場合には外れないように適宜設計している。すなわち、前記装着部材９０の係合部９２の先端が前記装着本体７０の空間部７５に入ることで、外れないように係合している。
【００４４】
前記装着本体７０には、前記プラグコネクタ４１の嵌合孔４７に対応する位置に、前記装着部材９０の係合ボス９３が入る嵌入孔７４が設けられている。前記嵌入孔７４の大きさは、コジリや位置ズレを考慮すると、前記係合ボス９３より幾分小さくし、軽圧入にすることが望ましい。
また、前記装着本体７０には、前記プラグコネクタ４１の係合孔４９に対応した位置に、位置決めボス７２が設けられている。前記位置決めボス７２は前記プラグコネクタ４１との位置決めと前記装着部材９０の係合ボス９３と相まって前記装着本体７０及び前記装着部材９０が一度装着されると外れないようにするためのものである。すなわち、前記係合ボス９３は長手及び奥行き方向に外れないようにし、前記位置決めボス７２は高さ方向に外れないようにしている。前記位置決めボス７２の大きさは、このような役割や強度や加工性を考慮して適宜設計する。
【００４５】
前記装着本体７０の長手方向両側には、前記装着部材９０の係合部９２の先端が係合する空間部７５が設けられている。前記空間部７５に前記係合部９２が係合することで、前記装着本体７０と前記装着部材９０とが一度装着すると外れないようになっている。
また、前記装着本体７０には、前記プラグコネクタ４１から前記ソケットコネクタ６１を着脱したい時に、前記装着本体７０を外し（破壊）易くするために前記位置決めボス７２付近に差込口７７が設けられている。前記差込口７７はニッパ等で上端部分を切断するだけで、前記装着本体７０が外れる（破壊できる）ようにしている。
【００４６】
次に、前記プラグコネクタ４１について説明する。前記プラグコネクタ４１はピンコンタクト４４とブロック４２とロック部材４６を有している。以下でそれぞれの部位について相違する部分についてのみ説明する。
最初に、ブロック４２について説明する。上述した実施例では説明を省略したが、前記ブロック４２には長手方向両側のフランジに嵌合孔４７が設けられている。また、前記ブロック４２には、長手方向両側のフランジで、接続側の底面に係合孔４９が設けられている。その他は、上述した実施例と同様である。
【００４７】
次に、ピンコンタクト４４について説明する。前記ピンコンタクト４４はＬ型タイプである点のみで相違するだけで、その他は相違しない。
【００４８】
次に、ロック部材４６について説明するが、前記ロック部材４６は上述の実施例と相違しないので、説明を省略する。
【００４９】
最後に、前記ソケットコネクタ６１について説明する。前記ソケットコネクタ６１はソケットコンタクト６４とハウジング６２とカバー６６を有しているが、それぞれの部位は上述した実施例と同様のため、説明を省略する。
【００５０】
図６から図１０で説明したものとは別の実施例を、図１１から図１５に基づいて、本発明の遊戯機に用いられるさらに別の電気コネクタの一実施例について説明する。図１１はさらに別の本発明の電気コネクタの斜視図であり、図１２はさらに別の本発明の電気コネクタをプラグコネクとソケットコネクタと装着本体と装着部材に分解した状態のそれぞれの斜視図である。図１３（Ａ）は本発明の装着本体を、装着方向からみた斜視図であり、（Ｂ）は本発明の装着本体を、装着方向と逆側からみた斜視図である。図１４（Ａ）は本発明の装着部材を、装着方向からみた斜視図であり、（Ｂ）は本発明の装着部材を、装着方向と逆側からみた斜視図である。図１５は本発明の電気コネクタを、プラグコネクタとソケットコネクタとが嵌合したものに装着本体が装着された状態のものと、装着部材が分解した状態のものにし、装着部材方向からみたそれぞれの斜視図である。
図１１から図１５に示された本発明のさらに別の電気コネクタ１１は、プラグコネクタ４１とソケットコネクタ６１と装着本体７０と装着部材９０を備えている。上述と同様に、本実施例の前記プラグコネクタ４１はピンコンタクト４４とブロック４２とロック部材４６を有し、前記ソケットコネクタ６１はソケットコンタクト６４とハウジング６２とカバー６６を有している。以下において、それぞれの部位について上記実施例と相違する部分についてのみ説明する。
【００５１】
まず、本発明のポイントである装着本体７０と装着部材９０について説明する。前記装着本体７０と前記装着部材９０は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリエーテルイミド（ＰＥＩ）やポリエーテルサルフォン（ＰＥＳ）やこれらの合成材料を挙げることができる。半透明や透明にする場合には、ポリエーテルイミド（ＰＥＩ）やポリエーテルサルフォン（ＰＥＳ）やこれらの合成材料を挙げることができる。
【００５２】
図１１から図１５に示す前記装着本体７０と前記装着部材９０の役割も、基板に実装された前記プラグコネクタ４１にケーブルが付いたソケットコネクタ６１を嵌合した状態のものに装着することにより一度前記装着本体７０と前記装着部材９０を装着すると、前記プラグコネクタ４１から前記ソケットコネクタ６１を着脱できないようにするものである。図６から図１０に示した前記電気コネクタ１１と図１１から図１５に示した前記電気コネクタ１１の大きな相違点は、図６から図１０に示した前記電気コネクタ１１が２つの前記装着部材９０を前記装着本体７０の長手方向両端に装着していたのに対し、図１１から図１５に示した前記電気コネクタ１１は一体の装着部材９０を前記装着本体７０に装着したものである。前記装着本体７０には基板に実装された前記プラグコネクタ４１にケーブルが付いたソケットコネクタ６１を嵌合した状態の電気コネクタ１１が入る挿入部７１と前記ケーブル８０を逃げる逃げ部７６が設けられている。前記挿入部７１の大きさ・形状は、嵌合した状態の前記プラグコネクタ４１と前記ソケットコネクタ６１が入ればよく、嵌合した状態の前記プラグコネクタ４１と前記ソケットコネクタ６１の大きさ・形状に沿って適宜設計する。
【００５３】
最初に、前記装着部材９０について説明する。前記装着部材９０は図１４のように略Ｌ字形状をし、前記装着本体７０の空間部７５を覆うように装着される装着凹部９１と両端の前記装着凹部９１を連結する連結部９７を有している。前記装着凹部９１内のほぼ中央には、装着方向に突出した前記装着本体７０の係止孔７３に係合する係合部９２が設けられている。前記係合部９２の先端は、一度前記装着本体７０の係止孔７３と係合した場合には外れないように矢じり形状をしている。前記係合部９２の形状・大きさは、一度前記装着本体７０と係合した場合には外れないように適宜設計している。
【００５４】
前記装着部材９０の装着凹部９１内には、前記装着本体７０の嵌入孔７４と前記プラグコネクタ４１の嵌合孔４７に対応する位置に、前記嵌入孔７４と前記嵌合孔４７に入る係合ボス９３が設けられている。すなわち、基板に実装された前記プラグコネクタ４１の嵌合孔４７と前記装着本体７０の嵌入孔７４は、前記装着本体７０が前記プラグコネクタ４１に装着された状態で、合致するようになっている。前記係合ボス９３は、前記装着部材９０と前記装着本体７０及び前記プラグコネクタ４１との位置合わせをするものである。前記係合ボス９３の形状・大きさは、このような役割や強度や加工性を考慮して適宜設計する。コジリや位置ずれを考慮すると、前記係合ボス９３は前記装着本体７０の嵌入孔７４に軽圧入することが望ましい。前記係合ボス９３には、必要に応じて、前記係合部９２のような形状を備えてもよく、前記装着本体７０の孔に係合するようにする。
【００５５】
前記装着凹部９１内には、所定の位置に図１４のように、前記電気コネクタ１１の底面に係合するロック手段９５が設けられている。前記ロック手段９５は前記電気コネクタ１１と係合することで前記電気コネクタ１１を安定して保持するとともに前記プラグコネクタ４１と前記ソケットコネクタ６１が嵌合した状態の前記電気コネクタ１１に装着された前記装着本体７０と前記装着部材９０とが外れ難くするものである。前記ロック手段９５の先端には前記電気コネクタ１１に係合するための突出部が設けられている。前記ロック手段９５の大きさ・形状は上記のような役割や強度やコネクタの小型化等を考慮して適宜設計する。
また、前記装着凹部９１内には、前記ロック手段９５の近傍に図１４のようにボス９６が設けられている。前記ボス９６は前記装着本体７０の穴７７に係合し、位置ズレを無くすためのものである。前記ボス９６の形状・大きさは、このような役割や強度等を考慮して適宜設計する。
さらに、前記装着部材９０には、前記プラグコネクタ４１から前記ソケットコネクタ６１を着脱したい時に、前記装着部材９０を外し（破壊）易くするために前記係合部９２と前記係合ボス９３付近に差込口９４が設けられている。前記差込口９４はニッパ等で上端部分を切断するだけで、前記装着部材９０が外れる（破壊できる）ようにしている。
【００５６】
つぎに、前記装着本体７０について説明する。前記装着本体７０は図１３のように略Ｕ字形状をし、上述のような前記挿入部７１が形成されている。前記装着本体７０の長手方向（図１３の横方向）両側には、前記装着部材９０の係合部９２に対応した位置に、係止孔７３が設けられている。前記係止孔７３は、前記装着部材９０の前記係合部９２と係合することで、一度前記装着部材９０と係合した場合には外れないようにしている。即ち、前記プラグコネクタ４１と前記ソケットコネクタ６１が嵌合した状態の電気コネクタ１１に前記装着本体７０と前記装着部材９０とが装着された状態では、前記プラグコネクタ４１と前記ソケットコネクタ６１は着脱できないようになる。前記係止孔７３の形状・大きさは、一度前記装着部材９０と係合した場合には外れないように適宜設計している。すなわち、前記装着部材９０の係合部９２の先端が前記装着本体７０の空間部７５に入ることで、外れないように係合している。
【００５７】
前記装着本体７０には、前記プラグコネクタ４１の嵌合孔４７に対応する位置に、前記装着部材９０の係合ボス９３が入る嵌入孔７４が設けられている。前記嵌入孔７４の大きさは、コジリや位置ズレを考慮すると、前記係合ボス９３より幾分小さくし、軽圧入にすることが望ましい。
また、前記装着本体７０には、前記プラグコネクタ４１の係合孔４９に対応した位置に、位置決めボス７２が設けられている。前記位置決めボス７２は前記プラグコネクタ４１との位置決めと前記装着部材９０の係合ボス９３と相まって前記装着本体７０及び前記装着部材９０が一度装着されると外れないようにするためのものである。すなわち、前記係合ボス９３は長手及び奥行き方向に外れないようにし、前記位置決めボス７２は高さ方向に外れないようにしている。前記位置決めボス７２の大きさは、このような役割や強度や加工性を考慮して適宜設計する。
【００５８】
前記装着本体７０の長手方向両側には、前記装着部材９０の係合部９２の先端が係合する空間部７５が設けられている。前記空間部７５に前記係合部９２が係合することで、前記装着本体７０と前記装着部材９０とが一度装着すると外れないようになっている。
また、前記装着本体７０の長手方向両側には、前記装着部材９０のロック手段９５に対応する位置に、前記ロック手段９５を逃げるための逃げ切欠部７６が設けられている。前記逃げ切欠部７６の形状・大きさは、前記ロック手段９５に触れることなく、逃げていれば如何なるものであってもよい。
さらに、前記装着本体７０には、前記装着部材９０のボス９６に対応する位置に穴７７が設けられている。前記穴７７は前記装着本体７０と前記装着部材９０との位置ズレを無くすためのものである。前記穴７７の形状・大きさは、このような役割や強度等を考慮して適宜設計する。
前記装着本体７０には、前記プラグコネクタ４１から前記ソケットコネクタ６１を着脱したい時に、前記装着本体７０を外し（破壊）易くするために前記位置決めボス７２付近に差込口７７が設けられている。前記差込口７７はニッパ等で上端部分を切断するだけで、前記装着本体７０が外れる（破壊できる）ようにしている。
【００５９】
次に、前記プラグコネクタ４１について説明する。前記プラグコネクタ４１はピンコンタクト４４とブロック４２とロック部材４６を有しているが、それぞれの部位は上述した実施例と同様のため、説明を省略する。
最後に、前記ソケットコネクタ６１について説明する。前記ソケットコネクタ６１はソケットコンタクト６４とハウジング６２とカバー６６を有しているが、それぞれの部位は上述した実施例と同様のため、説明を省略する。
【産業上の利用可能性】
【００６０】
本発明の活用例としては、パチンコ等の遊戯機に用いられる電気コネクタに活用され、特に特に一度前記プラグコネクタと前記ソケットコネクタが嵌合した場合に着脱を防止する構造に関するものである。
【図面の簡単な説明】
【００６１】
【図１】本発明の電気コネクタの斜視図である。
【図２】本発明の電気コネクタをプラグコネクとソケットコネクタと保持部材Ａと保持部材Ｂに分解した状態のそれぞれの斜視図である。
【図３】（Ａ）  本発明の電気コネクタをプラグコネクタとソケットコネクタとが嵌合した状態と保持部材Ａと保持部材Ｂに分解した状態の保持部材Ｂからみたそれぞれの斜視図である。（Ｂ）  本発明の電気コネクタをプラグコネクタとソケットコネクタとが嵌合した状態と保持部材Ａと保持部材Ｂに分解した状態の保持部材Ａからみたそれぞれの斜視図である。
【図４】（Ａ）  本発明の電気コネクタをプラグコネクタとソケットコネクタとが嵌合したものが保持部材Ａに装着された状態と保持部材Ｂに分解した状態の保持部材Ｂからみたそれぞれの斜視図である。（Ｂ）  本発明の電気コネクタをプラグコネクタとソケットコネクタとが嵌合したものが保持部材Ａに装着された状態と保持部材Ｂに分解した状態の保持部材Ａからみたそれぞれの斜視図である。
【図５】（Ａ）  本発明の電気コネクタをプラグコネクタとソケットコネクタとが嵌合したものが保持部材Ｂに装着された状態と保持部材Ａに分解した状態の保持部材Ａからみたそれぞれの斜視図である。（Ｂ）  本発明の電気コネクタをプラグコネクタとソケットコネクタとが嵌合したものが保持部材Ｂに装着された状態と保持部材Ａに分解した状態の保持部材Ｂからみたそれぞれの斜視図である。
【図６】別の本発明の電気コネクタの斜視図である。
【図７】別の本発明の電気コネクタをプラグコネクとソケットコネクタと装着本体と２つの装着部材に分解した状態のそれぞれの斜視図である。
【図８】（Ａ）  本発明の装着本体を、装着方向からみた斜視図である。（Ｂ）  本発明の装着本体を、装着方向と逆側からみた斜視図である。
【図９】（Ａ）  本発明の装着部材を、装着方向からみた斜視図である。（Ｂ）  本発明の装着部材を、装着方向と逆側からみた斜視図である。
【図１０】本発明の電気コネクタを、プラグコネクタとソケットコネクタとが嵌合したものに装着本体が装着された状態のものと、装着部材が分解した状態のものにし、装着部材方向からみたそれぞれの斜視図である。
【図１１】さらに別の本発明の電気コネクタの斜視図である。
【図１２】さらに別の本発明の電気コネクタをプラグコネクとソケットコネクタと装着本体と装着部材に分解した状態のそれぞれの斜視図である。
【図１３】（Ａ）  本発明の装着本体を、装着方向からみた斜視図である。（Ｂ）  本発明の装着本体を、装着方向と逆側からみた斜視図である。
【図１４】（Ａ）  本発明の装着部材を、装着方向からみた斜視図である。（Ｂ）  本発明の装着部材を、装着方向と逆側からみた斜視図である。
【図１５】さらに別の本発明の電気コネクタを、プラグコネクタとソケットコネクタとが嵌合したものに装着本体が装着された状態のものと、装着部材が分解した状態のものにし、装着部材方向からみたそれぞれの斜視図である。
【図１６】本発明の図１とは別の電気コネクタの斜視図である。
【図１７】本発明の図１とは別の電気コネクタをプラグコネクとソケットコネクタと保持部材Ａと保持部材Ｂに分解した状態のそれぞれの斜視図である。
【図１８】（Ａ）  本発明の図１とは別の電気コネクタをプラグコネクタとソケットコネクタとが嵌合した状態と保持部材Ａと保持部材Ｂに分解した状態の保持部材Ｂからみたそれぞれの斜視図である。（Ｂ）  本発明の図１とは別の電気コネクタをプラグコネクタとソケットコネクタとが嵌合した状態と保持部材Ａと保持部材Ｂに分解した状態の保持部材Ａからみたそれぞれの斜視図である。
【図１９】（Ａ）  本発明の図１とは別の電気コネクタをプラグコネクタとソケットコネクタとが嵌合したものが保持部材Ａに装着された状態と保持部材Ｂに分解した状態の保持部材Ｂからみたそれぞれの斜視図である。（Ｂ）  本発明の図１とは別の電気コネクタをプラグコネクタとソケットコネクタとが嵌合したものが保持部材Ａに装着された状態と保持部材Ｂに分解した状態の保持部材Ａからみたそれぞれの斜視図である。
【符号の説明】
【００６２】
１０、１１                  電気コネクタ
２０                        保持部材Ａ
２１、３１、７１            挿入部
２２                        係止部
２３                        引っ掛け部
２４                        孔
２５、３５、７７、９４      差込口
２６                        挿入孔
３０                        保持部材Ｂ
３２、９２                  係合部
３３                        フック部
３４、７２                  位置決めボス
３６、７６                  逃げ部
４０、４１                  プラグコネクタ
４２                        ブロック
４４                        ピンコンタクト
４６                        ロック部材
４７                        嵌合孔
４８                        嵌合口
４９                        係合孔
６０、６１                  ソケットコネクタ
６２                        ハウジング
６４                        ソケットコンタクト
６６                        カバー
７０                        装着本体
７３                        係止孔
７４                        嵌入孔
７５                        空間部
７６                        逃げ切欠部
７７                        穴
８０                        ケーブル
９０                        装着部材
９１                        装着凹部
９３                        係合ボス
９５                        ロック手段
９６                        ボス
９７                        連結部
１００                      基板
【図１】
2008140754.tif 000003
【図２】
2008140754.tif 000004
【図３】
2008140754.tif 000005
【図４】
2008140754.tif 000006
【図５】
2008140754.tif 000007
【図６】
2008140754.tif 000008
【図７】
2008140754.tif 000009
【図８】
2008140754.tif 000010
【図９】
2008140754.tif 000011
【図１０】
2008140754.tif 000012
【図１１】
2008140754.tif 000013
【図１２】
2008140754.tif 000014
【図１３】
2008140754.tif 000015
【図１４】
2008140754.tif 000016
【図１５】
2008140754.tif 000017
【図１６】
2008140754.tif 000018
【図１７】
2008140754.tif 000019
【図１８】
2008140754.tif 000020
【図１９】
2008140754.tif 000021